(57)【特許請求の範囲】
【請求項１】
加入者線、スイッチ回路、スプリッタ、スプリッタ接続回路を介して端末に通話電流の供給を行う給電回路と、前記加入者線と前記給電回路の接続及び該接続の開放を行う前記スイッチ回路と、上位装置より制御信号を受信して前記給電回路と前記スイッチ回路の制御を行う制御回路とを有する加入者回路において、前記スイッチ回路、スプリッタ接続回路を経由して前記加入者線の信号をろ波する前記スプリッタと、該スプリッタをバイパスするバイパス用線路と、前記加入者線の試験を行わない時には前記スプリッタを前記スイッチ回路と前記給電回路間への接続を行い前記加入者線の試験を行う時には前記スプリッタを前記スイッチ回路と前記給電回路との間の接続から開放して代わりに前記バイパス用線路を接続する前記スプリッタ接続回路とを有し、前記制御回路は、上位装置の制御信号により前記スプリッタの前記接続、前記開放及び前記加入者線の試験を行う時に前記スプリッタを前記バイパス用線路によりバイパスすることを特徴としたスプリッタ機能付き加入者回路。
【請求項２】
前記スプリッタ接続回路として、第１及び第２の２個のスプリッタ接続回路を使用し、前記加入者線に接続された前記スイッチ回路と前記給電回路との間に前記第１及び第２のスプリッタ接続回路を設け、該第１のスプリッタ接続回路と第２のスプリッタ接続回路との間に前記スプリッタ及び該スプリッタをバイパスする前記バイパス用線路を接続したことを更に特徴とする請求項１に記載のスプリッタ機能付き加入者回路。
【請求項３】
加入者線、スイッチ回路、スプリッタ、スプリッタ接続回路を介して端末に通話電流の供給を行なう給電回路と、前記加入者線と前記給電回路の接続及び該加入者線と該給電回路との間の接続の開放を行なう前記スイッチ回路と、上位装置より制御信号を受信して前記給電回路と前記スイッチ回路の制御を行う制御回路とを有する加入者回路において、前記スプリッタ接続回路を経由して前記加入者線の信号をろ波する前記スプリッタと、該スプリッタをバイパスするバイパス用線路と、前記加入者線の試験を行わない時には前記スプリッタを前記加入者線と前記スイッチ回路間へ接続し前記加入者線の試験を行う時には該加入者線と該給電回路との間の接続の開放を行う前記スプリッタ接続回路とを有し、前記制御回路は、上位装置の制御信号により前記スプリッタの前記接続及び開放と前記スプリッタを前記バイパス用線路によりバイパスすることを特徴としたスプリッタ機能付き加入者回路。
【請求項４】
前記スプリッタをバイパスするための前記バイパス用線路を前記スイッチ回路と前記スプリッタ接続回路との間に設けたことを更に特徴とする請求項３に記載のスプリッタ機能付き加入者回路。
【発明の詳細な説明】
【０００１】
【発明の属する技術分野】
本発明は、加入者回路に関し、詳しくは、電話線を利用して高速データ通信を行うＸＤＳＬ（Ｘ−Ｄｉｇｉｔａｌ  Ｓｕｂｓｃｒｉｂｅｒ  Ｌｉｎｅ）通信システムのうちで電話サービスと高速データ通信サービスを同時に行うことが可能とされたＡＤＳＬ（Ａｓｙｍｍｅｔｒｉｃ  Ｄｉｇｉｔａｌ  Ｓｕｂｓｃｒｉｂｅｒ  Ｌｉｎｅ）システムでの信号伝送速度の高速化を実現した通信システムにおいて、特に、加入者線信号をろ波するスプリッタと加入者線試験に関するものである。
【０００２】
【従来の技術】
既存の撚り対線（ツイストペア）からなる電話線を利用して、既存の電話サービスはそのままで、高速データ通信サービスを実現する新たな通信システムとしてＸＤＳＬ通信システムが提供されている。
【０００３】
このＸＤＳＬ通信システムのうちでも、殆どの加入者は膨大な量のデータを生成しかつこれを伝送する必要性が少なく、その一方で電話局を通しての各種プロバイダからの膨大なデータ量であるビデオサービス等を受けるための機会が多いという実際の運用状況に鑑み、電話局から加入者（家庭）への下りデータ伝送速度を加入者から電話局への上りデータ伝送速度よりも高くした非対象ディジタル通信システムであるＡＤＳＬが実用化されている。ちなみに、ＡＤＳＬのデータ伝送速度は、上りは最大１Ｍｂｐｓ、下りは最大９Ｍｂｐｓである。
【０００４】
この種の技術に関連した従来例として、特開平１１−３０８３５２号公報に開示されたＡＤＳＬ通信システムをあげることができる。
【０００５】
叙上の従来例は、電話サービスと高速データ通信サービスをそれぞれ同一の電話線を用いて、かつ異なる周波数帯域で行うＡＤＳＬ通信システムにおいて、電話局と加入者とが電話線で接続され、電話局には電話網に接続される交換機と、ディジタル網に接続されるＡＤＳＬモデムと、電話線を伝送される信号を周波数分波して交換機とＡＤＳＬモデムに対してそれぞれ割り当てられた周波数帯域の信号を入出力するスプリッタとを備え、加入者には少なくとも電話機と、ディジタル端末に接続されるＡＤＳＬモデムと、電話線を伝送される信号を周波数分波して電話機等とＡＤＳＬモデムに対してそれぞれ割り当てられた周波数帯域の信号を入出力するスプリッタとを備え、電話局と加入者には、それぞれ電話線と各ＡＤＳＬモデムを接続するようにスプリッタをバイパスするバイパス線と、バイパス線を切り替える切替器と、交換機または電話機の状態から電話サービスが停止される状態を検出し、当該電話サービスが停止されている時に切替器を切り替えてバイパス線を導通状態とするコントローラとを備えることを特徴とするＡＤＳＬ通信システムである。
【０００６】
即ち、上記の従来例には、要約すれば、加入者線に伝送される信号を周波数分波して交換機とＡＤＳＬモデムに対して割り当てられた周波数帯域の信号を入出力するスプリッタが設けられていた。また、加入者線とＡＤＳＬモデムと接続するようにスプリッタをバイパスするバイパス線が設けられている。
【０００７】
【発明が解決しようとする課題】
しかしながら、叙上の従来技術には下記に示す欠点があった。
【０００８】
第１の問題点は、従来は、加入者回路と加入者端末の間にスプリッタが設けられているので、加入者の試験を正常に行うことができないということである。
【０００９】
その理由は、スプリッタは音声帯域の周波数信号をろ波するのに、線輪と容量で構成されているためである。
【００１０】
本発明は従来の上記実情に鑑み、従来の技術に内在する上記課題を解決する為になされたものであり、従って本発明の目的は、加入者線の信号をろ波するために必要であったスプリッタを加入者回路に内蔵し、加入者線の試験を行う場合にはスプリッタを切り離して加入者線の試験を可能にした新規な加入者回路を提供することにある。
【００１１】
【課題を解決するための手段】
上記目的を達成する為に、本発明に係るスプリッタ機能付き加入者回路は、加入者線、スイッチ回路、スプリッタ、スプリッタ接続回路を介して端末に通話電流の供給を行う給電回路と、前記加入者線と前記給電回路の接続及び該加入者線と該給電回路との間の接続の開放を行う前記スイッチ回路と、上位装置より制御信号を受信して前記給電回路と前記スイッチ回路の制御を行う制御回路とを有する加入者回路において、前記スイッチ回路、スプリッタ接続回路を経由して前記加入者線の信号をろ波する前記スプリッタと、該スプリッタをバイパスするバイパス用線路と、前記加入者線の試験を行わない時には前記スプリッタを前記スイッチ回路と前記給電回路間への接続を行い前記加入者線の試験を行う時には前記スプリッタを前記スイッチ回路と前記給電回路との間の接続の開放を行う前記スプリッタ接続回路とを有し、前記制御回路は、上位装置の制御信号により前記スプリッタの前記接続、開放及び前記加入者線の試験を行う時に前記スプリッタを前記バイパス用線路によりバイパスすることを特徴としている。
【００１２】
前記スプリッタ接続回路として、第１及び第２の２個のスプリッタ接続回路を設け、前記加入者線に接続された前記スイッチ回路と前記給電回路との間に前記第１及び第２のスプリッタ接続回路を設け、該第１のスプリッタ接続回路と第２のスプリッタ接続回路との間に前記スプリッタを接続したことを特徴としている。
【００１３】
また、本発明においては、上記構成の変形として、前記第２のスプリッタ接続回路を取り外して省略し、代わりに前記第１のスプリッタ接続回路と前記加入者線との間に接続された前記スイッチ回路を取り外して前記スプリッタと前記給電回路との間に接続することもできる。
【００１４】
前記第１のスプリッタ接続回路と前記第２のスプリッタ接続回路との間に前記スプリッタをバイパスするバイパス用線路が設けられている。
【００１５】
本発明においてはまた、前記第１のスプリッタ接続回路と前記スイッチ回路との間に前記スプリッタをバイパスするバイパス用線路を設けることもできる。
【００１６】
【作用】
本発明では、加入者線を介して端末に通話電流の供給を行う給電回路と、前記加入者線と前記給電回路の接続及び開放を行うスイッチ回路と、上位装置より制御信号を受信して前記給電回路と前記スイッチ回路の制御を行う制御回路とを有する加入者回路において、前記スイッチ回路を経由して加入者線の信号をろ波するスプリッタと、このスプリッタを前記スイッチ回路と前記給電回路との間に接続するかまたは前記スイッチ回路と前記給電回路との間に接続しない（以下開放するという）かを行うスプリッタ接続回路を有しているので、加入者線の試験を行う場合にはスプリッタを切り離してスプリッタをバイパスするので、加入者線の試験が可能になる。
【００１７】
【発明の実施の形態】
次に、本発明をその好ましい各実施の形態について図面を参照しながら詳細に説明する。
【００１８】
【第１の実施の形態】
図１は本発明による第１の実施の形態を示すブロック構成図である。
【００１９】
【第１の実施の形態の構成】
図１を参照するに、本発明による第１の実施の形態は、加入者線２を介して端末１に通話電流の供給を行う給電回路４と、加入者線２に接続され、加入者線２と給電回路４の接続及び非接続（開放）を行うスイッチ回路３と、上位装置より制御信号６を受信して給電回路４とスイッチ回路３の制御を行う制御回路５と、スイッチ回路３を経由して加入者線２の信号をろ波するスプリッタ７と、スプリッタ７をスイッチ回路３と給電回路４間への接続と非接続（開放）を行う第１のスプリッタ接続回路８と第２のスプリッタ接続回路９と、スプリッタ７をバイパスするバイパス用線路１０とを有し、制御回路５は、上位装置の制御信号６によりスプリッタ７をスイッチ回路３と給電回路４間に接続するかまたはスプリッタ７をスイッチ回路３と給電回路４間から切り離してかわりにそこにバイパス用線路１０を接続してスプリッタ７をバイパス用線路１０を用いてバイパスする。
【００２０】
第１のスプリッタ接続回路８はスイッチ回路３と接続されており、第２のスプリッタ接続回路９は給電回路４に接続されており、第１のスプリッタ接続回路８と第２のスプリッタ接続回路９との間にスプリッタ７が接続されている。また第１、第２のスプリッタ接続回路８、９との間にはスプリッタ７をバイパスするバイパス用線路１０が配設されている。
【００２１】
スイッチ回路３、給電回路４、制御回路５、スプリッタ７、第１のスプリッタ接続回路８および第２のスプリッタ接続回路９により、加入者回路を構成している。
【００２２】
【第１の実施の形態の動作】
次に本発明による第１の実施の形態の動作について、図１を用いて詳細に説明する。
【００２３】
図１において、制御回路５は、上位の制御情報６を受信し、スイッチ回路３、給電回路４、第１のスプリッタ接続回路８、第２のスプリッタ接続回路９を制御する。給電回路４は、加入者線２、スイッチ回路３、スプリッタ７、第１のスプリッタ接続回路８及び第２のスプリッタ接続回路９を介して端末１に通話電流の供給を行う。スイッチ回路３は、加入者線２と給電回路４の接続及び非接続（開放）とを行う。スプリッタ７はスイッチ回路３を経由して加入者線２の信号をろ波する。第１のスプリッタ接続回路８と第２のスプリッタ接続回路９は、スプリッタ７をスイッチ回路３と給電回路４の間への接続と開放及びスイッチ回路３と給電回路４の開放時にスイッチ回路３と給電回路４との間にバイパス線路を接続してスプリッタ７のバイパスを行う。
【００２４】
加入者線２の試験を行わない時には、制御回路５は加入者線２の試験を行わない制御情報６を受信し、第１のスプリッタ接続回路８と第２のスプリッタ接続回路９を制御して、スプリッタ７をスイッチ回路３と給電回路４の間へ接続を行う。
【００２５】
加入者線２の試験を行う時には、制御回路５は加入者線２の試験を行う制御情報６を受信し、第１のスプリッタ接続回路８と第２のスプリッタ接続回路９を制御して、スプリッタ７をスイッチ回路３と給電回路４の間から切り離し、バイパス線路１０を通してスイッチ回路３と給電回路４を接続する。
【００２６】
従って、加入者線２の試験を行う場合には、制御情報６を受信し、加入者線２の正常性試験を行う条件を検出し、第１のスプリッタ接続回路８と第２のスプリッタ接続回路９を制御して、スプリッタ７をスイッチ回路３と給電回路４の間から切り離し、バイパス線路１０を介してスイッチ回路３と給電回路４が接続されるので、加入者線２の正常性試験の確認に影響はない。
【００２７】
【第２の実施の形態】
次に、本発明による第２の実施の形態について、図２を参照して詳細に説明する。
【００２８】
図２は本発明による第２の実施の形態を示すブロック構成図である。図２で図１と同一符号のものは図１と同一機能を有する。
【００２９】
図２に示された本発明による第２の実施の形態においては、図１に示された第１の実施の形態の、端末１と第１のスプリッタ接続回路８との間に接続されていたスイッチ回路３を、第２のスプリッタ接続回路９を除去して代わりにその位置に配設する。即ち、第１のスプリッタ接続回路８と、スイッチ回路３との間に、スプリッタ７とバイパス用線路１０が接続されている。
【００３０】
制御回路５は、上位の制御情報６を受信し、スイッチ回路３、給電回路４、第１のスプリッタ接続回路８を制御する。給電回路４は、加入者線２を介して端末１に通話電流の供給を行う。
【００３１】
スイッチ回路３は、加入者線２と給電回路４の接続及び加入者線２と給電回路４の非接続（開放）を行なう。
【００３２】
スプリッタ７は第１のスプリッタ接続回路８を経由して加入者線２の信号をろ波する。第１のスプリッタ接続回路８とスイッチ回路３は、スプリッタ７を第１のスプリッタ接続回路８とスイッチ回路３の間への接続と開放を行う。
【００３３】
加入者線２の試験を行わない時には、制御回路５は加入者線２の試験を行わない制御情報６を受信し、第１のスプリッタ接続回路８とスイッチ回路３を制御して、スプリッタ７を第１のスプリッタ接続回路８とスイッチ回路３の間へ接続を行う。
【００３４】
加入者線２の試験を行う時には、制御回路５は、加入者線２の試験を行う制御情報６を受信し、第１のスプリッタ接続回路８とスイッチ回路３を制御して、スプリッタ７を第１のスプリッタ接続回路８とスイッチ回路３の間から切り離し、バイパス線路１０を介して第１のスプリッタ接続回路８とスイッチ回路３を接続する。
【００３５】
従って、加入者線２の試験を行う場合には、制御情報６を受信し、加入者線２の正常性試験を行う条件を検出し、第１のスプリッタ接続回路８とスイッチ回路３を制御して、スプリッタ７をスイッチ回路３と第１のスプリッタ接続回路８の間から切り離し、スイッチ回路３と第１のスプリッタ接続回路８をバイパス線路１０を介して接続するので、加入者線２の正常性試験の確認に影響はない。
【００３６】
【発明の効果】
本発明は以上の如く構成され、作用するものであり、本発明によれば、以下に示すような効果が得られる。
【００３７】
第１の効果は、加入者線の信号ろ波のために必要であったスプリッタを加入者回路に内蔵し、加入者線の試験を行う場合にはスプリッタを切り離したので、加入者線の試験が可能になるということである。
【００３８】
その理由は、加入者線の試験を行う場合には、制御情報を受信し、加入者線の正常性試験を行う条件を検出し、スプリッタを加入者線から切り離してバイパス線路を通してバイパスしたので、スプリッタを構成している線輪や容量の影響はなくなるためである。
【００３９】
第２の効果は、スプリッタを設定時の加入者線の接続工事が不要になるということである。
【００４０】
その理由は、加入者回路にスプリッタを内蔵したためである。
【図面の簡単な説明】
【図１】本発明による第１の実施の形態を示すブロック構成図である。
【図２】本発明による第２の実施の形態を示すブロック構成図である。
【符号の説明】
１…端末
２…加入者線
３…スイッチ回路
４…給電回路
５…制御回路
６…制御情報
７…スプリッタ
８…第１のスプリッタ接続回路
９…第２のスプリッタ接続回路
１０…バイパス線路
【図１】
0003781265.tif 000002
【図２】
0003781265.tif 000003